(57)【要約】【課題】色に付与された質感を表現する視覚的効果が確認される編集画面を備えた情報処理装置および情報処理プログラムを提供すること。【解決手段】画像を表示する表示手段と、予め定められた複数の色から選択された選択色に関する情報を設定する色設定部、および選択色の視覚効果を表す視覚効果情報を提示する効果提示部を表示手段に表示させるように制御する制御手段と、を含み、該制御手段は、選択色の予め定められた領域の内部において視覚効果情報を経時的に変化させて質感を提示する。【選択図】図２
2019082829.tif 000002
【特許請求の範囲】
【請求項１】
画像を表示する表示手段と、
予め定められた複数の色から選択された選択色に関する情報を設定する色設定部、および前記選択色の視覚効果を表す視覚効果情報を提示する効果提示部を前記表示手段に表示させるように制御する制御手段と、を含む
情報処理装置。
【請求項２】
前記制御手段は、前記選択色の予め定められた領域の内部において前記視覚効果情報を経時的に変化させて提示する
請求項１に記載の情報処理装置。
【請求項３】
前記視覚効果情報は色の明度情報の画像である
請求項２に記載の情報処理装置。
【請求項４】
前記明度情報の画像は白色画像である
請求項３に記載の情報処理装置。
【請求項５】
前記制御手段は、前記予め定められた領域の内部において予め定められた形状の前記視覚効果情報を予め定められた方向に経時的に移動させて提示する
請求項２から請求項４のいずれか１項に記載の情報処理装置。
【請求項６】
前記予め定められた形状が予め定められた方向に延伸する線状形状である
請求項５に記載の情報処理装置。
【請求項７】
前記制御手段は、前記予め定められた領域の内部において予め定められた形状の前記視覚効果情報の大きさを経時的に変化させて提示する
請求項２から請求項４のいずれか１項に記載の情報処理装置。
【請求項８】
前記予め定められた形状が円、楕円、多角形のいずれかである
請求項７に記載の情報処理装置。
【請求項９】
前記制御手段は、処理対象画像を前記表示手段に表示させる対象表示部、および前記対象表示部に表示された前記処理対象画像の指定された領域に前記色設定部で選択された選択色を対応付ける対応表示部を前記表示手段にさらに表示させる
請求項１から請求項８のいずれか１項に記載の情報処理装置。
【請求項１０】
情報を記憶させる記憶手段をさらに含み、
前記制御手段は、前記指定された領域と前記指定された領域に対応付けられた選択色とを関連付けて前記記憶手段に記憶させる
請求項９に記載の情報処理装置。
【請求項１１】
前記制御手段は、前記対象表示部に表示された前記処理対象画像の前記指定された領域に対応付けられた前記選択色の視覚効果を前記効果提示部にさらに提示させる
請求項９または請求項１０に記載の情報処理装置。
【請求項１２】
前記予め定められた複数の色には、金色、銀色、白色、透明色、高彩度色、パール色の少なくとも１つが含まれる
請求項１から請求項１１のいずれか１項に記載の情報処理装置。
【請求項１３】
前記選択色に関する情報には、前記選択色の種類、および前記選択色の種類ごとのグラデーションの程度が含まれる
請求項１から請求項１２のいずれか１項に記載の情報処理装置。
【請求項１４】
コンピュータを、
請求項１から請求項１３のいずれか１項に記載の情報処理装置の制御手段
として機能させるための情報処理プログラム。
【発明の詳細な説明】
【技術分野】
【０００１】
本発明は、情報処理装置、および情報処理プログラムに関する。
【背景技術】
【０００２】
特許文献１には、有色の有色トナー及び無色のクリアトナーがそれぞれ１以上搭載され、有色トナーを付着させるための有色版データとクリアトナーを付着させるためのクリアトナー版データとに基づいて記録媒体に画像を形成する印刷装置を制御する印刷制御装置であって、記録媒体に付与する視覚的または触覚的な効果である表面効果の種類と表面効果を付与する記録媒体における領域を特定するための光沢制御値が指定された光沢制御版データと、表面効果以外の透明画像を特定する濃度値が指定されたクリア版データとに基づいて、クリアトナー版データを生成する生成部と、生成されたクリアトナー版データを出力する出力部と、を備え、生成部は、光沢制御版データに光沢制御値が指定された領域と、クリア版データで濃度値が指定された領域との重なり範囲がある場合には、重なり範囲のクリアトナー版データに、光沢制御版データで指定された光沢制御値を設定することを特徴とする印刷制御装置が開示されている。
【０００３】
特許文献２には、印刷すべきカラー画像データに基づいてカラー印刷を行なうカラー印刷方法であって、カラー画像データに基づく印刷イメージを表示手段にプリビューとして表示させ、プリビューされた印刷イメージに対して印刷目的に対応した印刷内容を指定し、印刷内容を指定されたカラー画像データに基づいてカラー印刷を行なうことを特徴とするカラー印刷方法が開示されている。
【０００４】
特許文献３には、プルーフ画像を出力する出力デバイスにおける印刷画像の再現方式のうち、特色の再現方式を記述した付加画像を表す付加画像データを生成して、プルーフ画像を表すプルーフ画像データおよび付加画像データを出力デバイスへ向けて出力する画像処理装置が開示されている。特許文献１では、上記構成により、出力デバイスで出力された付加画像を確認することで、プルーフ画像の特色の再現方法を識別することができるとしている。
【先行技術文献】
【特許文献】
【０００５】
【特許文献１】特許第６１３２００４号公報
【特許文献２】特許２０００−０４７８４６号公報
【特許文献３】特許２００４−０７４４９８号公報
【発明の概要】
【発明が解決しようとする課題】
【０００６】
例えば、画像形成装置や用紙によりツヤや光沢感、メタリック感、透明感等の質感を表現する特色を含む印刷を行う際に、印刷対象の画像の編集を行う場合、ディスプレイに表示した当該画像はＲＧＢ表示のため特色固有の効果が提示されない。
【０００７】
本発明は、色に付与された質感を表現する視覚的効果が確認される編集画面を備えた情報処理装置および情報処理プログラムを提供することを目的とする。
【課題を解決するための手段】
【０００８】
上記目的を達成するために、請求項１に記載の情報処理装置は、画像を表示する表示手段と、予め定められた複数の色から選択された選択色に関する情報を設定する色設定部、および前記選択色の視覚効果を表す視覚効果情報を提示する効果提示部を前記表示手段に表示させるように制御する制御手段と、を含むものである。
【０００９】
また、請求項２に記載の発明は、請求項１に記載の発明において、前記制御手段は、前記選択色の予め定められた領域の内部において前記視覚効果情報を経時的に変化させて提示するものである。
【００１０】
また、請求項３に記載の発明は、請求項２に記載の発明において、前記視覚効果情報は色の明度情報の画像であるものである。
【００１１】
また、請求項４に記載の発明は、請求項３に記載の発明において、前記明度情報の画像は白色画像であるものである。
【００１２】
また、請求項５に記載の発明は、請求項２から請求項４のいずれか１項に記載の発明において、前記制御手段は、前記予め定められた領域の内部において予め定められた形状の前記視覚効果情報を予め定められた方向に経時的に移動させて提示するものである。
【００１３】
また、請求項６に記載の発明は、請求項５に記載の発明において、前記予め定められた形状が予め定められた方向に延伸する線状形状であるものである。
【００１４】
また、請求項７に記載の発明は、請求項２から請求項４のいずれか１項に記載の発明において、前記制御手段は、前記予め定められた領域の内部において予め定められた形状の前記視覚効果情報の大きさを経時的に変化させて提示するものである。
【００１５】
また、請求項８に記載の発明は、請求項７に記載の発明において、前記予め定められた形状が円、楕円、多角形のいずれかであるものである。
【００１６】
また、請求項９に記載の発明は、請求項１から請求項８のいずれか１項に記載の発明において、前記制御手段は、処理対象画像を前記表示手段に表示させる対象表示部、および前記対象表示部に表示された前記処理対象画像の指定された領域に前記色設定部で選択された選択色を対応付ける対応表示部を前記表示手段にさらに表示させるものである。
【００１７】
また、請求項１０に記載の発明は、請求項９に記載の発明において、情報を記憶させる記憶手段をさらに含み、前記制御手段は、前記指定された領域と前記指定された領域に対応付けられた選択色とを関連付けて前記記憶手段に記憶させるものである。
【００１８】
また、請求項１１に記載の発明は、請求項９または請求項１０に記載の発明において、前記制御手段は、前記対象表示部に表示された前記処理対象画像の前記指定された領域に対応付けられた前記選択色の視覚効果を前記効果提示部にさらに提示させるものである。
【００１９】
また、請求項１２に記載の発明は、請求項１から請求項１１のいずれか１項に記載の発明において、前記予め定められた複数の色には、金色、銀色、白色、透明色、高彩度色、パール色の少なくとも１つが含まれるものである。
【００２０】
また、請求項１３に記載の発明は、請求項１から請求項１２のいずれか１項に記載の発明において、前記選択色に関する情報には、前記選択色の種類、および前記選択色の種類ごとのグラデーションの程度が含まれるものである。
【００２１】
上記目的を達成するために、請求項１４に記載の情報処理プログラムは、コンピュータを、請求項１から請求項１３のいずれか１項に記載の情報処理装置の制御手段として機能させるためのものである。
【発明の効果】
【００２２】
請求項１、および請求項１４に記載の発明によれば、色に付与された質感を表現する視覚的効果が確認される編集画面を備えた情報処理装置および情報処理プログラムが提供される、という効果が得られる。
【００２３】
請求項２に記載の発明によれば、選択色の予め定められた領域の内部において視覚効果情報を経時的に変化させないで提示する場合と比較して、選択色が付与された画像の質感が確認される、という効果が得られる。
【００２４】
請求項３に記載の発明によれば、視覚効果情報が色の明度情報の画像以外の画像である場合と比較して、表示手段に表示された画像で質感が確認される、という効果が得られる。
【００２５】
請求項４に記載の発明によれば、明度情報の画像が白色画像以外の画像である場合と比較して、表示手段に表示された画像でより効果的に質感が確認される、という効果が得られる。
【００２６】
請求項５に記載の発明によれば、予め定められた領域の内部において予め定められた形状の視覚効果情報の大きさを経時的に変化させて提示する場合と比較して、視覚効果情報の経時的な変化がより単純化される、という効果が得られる。
【００２７】
請求項６に記載の発明によれば、予め定められた形状が円、楕円、多角形のいずれかである場合と比較して、予め定められた領域における隅の部分も含めた質感の提示がより行いやすい、という効果が得られる。
【００２８】
請求項７に記載の発明によれば、予め定められた領域の内部において予め定められた形状の視覚効果情報を予め定められた方向に経時的に移動させて提示する場合と比較して、質感の程度を制御しやすい、という効果が得られる。
【００２９】
請求項８に記載の発明によれば、予め定められた形状が予め定められた方向に延伸する線状形状である場合と比較して、予め定められた領域全体における質感の提示が行いやすい、という効果が得られる。
【００３０】
請求項９に記載の発明によれば、対象表示部、および対応表示部を表示手段に表示させない場合と比較して、特色の質感を確認しながら対象画像の編集がなされる、という効果が得られる。
【００３１】
請求項１０に記載の発明によれば、指定された領域と指定された領域に対応付けられた選択色とを関連付けて記憶手段に記憶させない場合と比較して、質感の付与された特色が再利用される、という効果が得られる。
【００３２】
請求項１１に記載の発明によれば、対象表示部に表示された処理対象画像の指定された領域に対応付けられた選択色の視覚効果を効果提示部に提示させない場合と比較して、特色の質感を確認しながら対象画像の編集がなされる、という効果が得られる。
【００３３】
請求項１２に記載の発明によれば、選択色が金色、銀色、白色、透明色、高彩度色、パール色の場合について、質感を表現する視覚的効果が確認される、という効果が得られる。
【００３４】
請求項１３に記載の発明によれば、選択色に関する情報に選択色の種類ごとのグラデーションの程度が含まれない場合と比較して、特色の質感がより緻密に設定される、という効果が得られる。
【図面の簡単な説明】
【００３５】
【図１】実施の形態に係る情報処理装置の概略構成を示す機能ブロック図である。
【図２】実施の形態に係る表示部の画面構成を示す図である。
【図３】実施の形態に係る質感の擬似的提示を説明する図である。
【図４】実施の形態に係る編集画面における質感の指定を説明する図である。
【図５】実施の形態に係る編集画像における質感の表示を説明する図である。
【発明を実施するための形態】
【００３６】
以下、図面を参照して、本発明を実施するための形態について詳細に説明する。
【００３７】
図１から図５を参照して、本実施の形態に係る情報処理装置、および情報処理プログラムについて説明する。
【００３８】
図１は、本実施の形態に係る情報処理装置１０の構成の一例を示している。図１に示すように、本実施の形態に係る情報処理装置１０は、制御部１２、表示部１４、操作部１６、記憶部１８を備えて構成されている。情報処理装置１０は、表示部１４に表示されるＵＩ（Ｕｓｅｒ  Ｉｎｎｔｅｒｆａｃｅ）を介して画像を編集する機能、特に選択された特色の質感を表現する視覚的効果を設定する機能、あるいは編集対象の画像（以下、「対象画像」）の指定された領域における質感を表現する視覚的効果を編集する機能を備えている。本実施の形態においては、対象画像の種類に特に制限はないが、一例として、トナーを用いた電子写真方式の画像形成装置で画像形成（印刷）される画像の画像情報の場合を例示して説明する。
【００３９】
制御部１２は、例えば汎用のＰＣ（Ｐｅｒｓｏｎａｌ  Ｃｏｍｐｕｔｅｒ）であり、図示を省略するＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、およびネットワークインタフェース等を含んで構成されている。ＣＰＵは、情報処理装置１０の全体を統括、制御し、ＲＯＭは、情報処理装置１０の制御プログラム等を予め記憶する記憶手段であり、ＲＡＭは、制御プログラム等のプログラムの実行時のワークエリア等として用いられる記憶手段である。なお、制御部１２は本発明に係る「制御手段」に相当する。
【００４０】
表示部１４は、主として、本実施の形態に係る情報処理を実行するためのＵＩである後述の特色表示領域（ウインドウ）２２、ＲＧＢ表示領域（ウインドウ）２４、プレビュー表示領域（ウインドウ）２６を表示する。表示部１４に特に制限はないが、例えば、液晶モニタ、ＣＲＴ（Ｃａｔｈｏｄｅ  Ｒａｙ  Ｔｕｂｅ）モニタ、ＦＰＤ（Ｆｌａｔ  Ｐａｎｅｌ  Ｄｉｓｐｌａｙ）モニタ等が用いられる。以下の説明では、特色表示領域２２、ＲＧＢ表示領域２４、プレビュー表示領域２６を総称して「表示領域」という場合がある。
【００４１】
操作部１６は、操作者（ユーザ）が表示領域を操作するための部位であり、例えばキーボードやポインティングデバイス（マウス、入力ペン等）から構成されている。
【００４２】
記憶部１８は、主として、表示領域で編集された後述の質感の付与された特色や対象画像を記憶する部位である。また、記憶部１８には情報処理装置１０の全体を制御するプログラムが記憶されている場合もある。記憶部１８に特に制限はないが、例えばＨＤＤ（ハードディスクドライブ）、ＣＤ−ＲＯＭ／Ｒ／ＲＷ、ＤＶＤ−ＲＯＭ／Ｒ／ＲＷ／ＲＡＭ等の外部記憶装置が用いられる。
【００４３】
図２は表示部１４の画面である表示部画面２０を示している。図２に示す表示部画面２０には、編集用画面（ＵＩ画面）の一例として、特色表示領域２２、ＲＧＢ表示領域２４、およびプレビュー表示領域２６が表示されている。これらの表示領域は、マウス等を含む操作部１６によって操作される。
【００４４】
特色表示領域２２は、本実施の形態に係る質感を表現する視覚的効果に関連して、特色を選択し、編集するためのウインドウである。本実施の形態において「特色」とは、金色、銀色、白色、透明色、高彩度色（蛍光色）、パール色等の色をいう。これらの特色は、例えば画像形成装置によって印刷する画像に用いることによって、ツヤや光沢感、メタリック感、透明感等の質感が表現される。本発明において扱う特色の選択について限定されることはないが、本実施の形態では、図２に示すように、金色選択部３０ａ、銀色選択部３０ｂ、透明色選択部３０ｃ、白色選択部３０ｄ（以下、総称する場合は「特色選択部３０」）を例示している。なお、特色表示領域２２は本発明に係る「色設定部」に相当し、特色表示領域２２で選択された特色は本発明に係る「選択色」に相当する。
【００４５】
本実施の形態に係る特色表示領域２２では、金色選択部３０ａ、銀色選択部３０ｂ、白色選択部３０ｄについて各々、金色グラデーションバー３２ａ、銀色グラデーションバー３２ｂ、白色グラデーションバー３２ｄ（以下、総称する場合は「グラデーションバー３２」）が備わっている。グラデーションバー３２により、対応する色の濃度が選択される。また、透明色選択部３０ｃには透過率設定バー３３が設けられており、本透過率設定バー３３により透明色の透明度が選択される。カーソルＫにより特色選択部３０で特色を選択し（図２に＜１＞で示す操作）、グラデーションバー３２または透過率設定バー３３によってさらに特色の特性を設定する（図２に＜２＞で示す操作）ことによって特色が決定される。決定された特色は、プレビュー表示領域２６に表示される。これらは、タブや詳細画面などを利用して利用者の好みに応じて部分的に表示させる。
【００４６】
ＲＧＢ表示領域２４は、赤色（Ｒ色）、緑色（Ｇ色）、青色（Ｂ色）について設定するＵＩである。本実施の形態に係るＲＧＢ表示領域２４は、一例として、カラーパレット３４、およびカラーチャート３６を備えている。カラーパレット３４は、予め設定された色彩のＲＧＢ色から色を選択する領域である。また、カラーチャート３６は、グラデーションバーによって設定することにより、あるいは色相、明度、彩度を直接設定することにより、ＲＧＢ色の設定を行う領域である。
【００４７】
プレビュー表示領域２６は、特色表示領域２２で選択、設定された特色について質感の確認を行うウインドウである。図２に示すように、プレビュー表示領域２６は、第１プレビュー部３８ａ、第２プレビュー部３８ｂ（以下、総称する場合は「プレビュー部３８」）、第１効果ボタン４０ａ、および第２効果ボタン４０ｂを備えている。例えば第１プレビュー部３８ａをカーソルＫでアクティブにすることによって、特色表示領域２２で決定された特色が表示される。そして、カーソルＫで第１効果ボタン４０ａ押下する（図２に＜３＞で示す操作）ことにより、第１プレビュー部３８ａで当該特色の質感が提示される。第２プレビュー部３８ｂ、第２効果ボタン４０ｂの動作も以上と同様である。本実施の形態で、プレビュー部３８を２つ備えているのは、例えばグラデーションの異なる特色を比較するためであり、従ってプレビュー部３８は１つであってもよい。なお、プレビュー部３８は、本発明に係る「効果提示部」に相当する。
【００４８】
ところで、例えば、画像形成装置によりツヤや光沢感、メタリック感、透明感等の質感を表現する特色を含む印刷を行う際に、印刷対象の画像の編集を行う場合、ディスプレイに表示した当該画像はＲＧＢ表示のため特色固有の効果が提示されない。そのため、従来の編集画面では、特色による視覚的効果を確認しながら編集を行うことが困難であった。
【００４９】
そこで、本発明では、編集画面において、画像領域ごとに特色に期待される質感の効果が擬似的に発現されるように構成した。このことにより、色に付与された質感を表現する視覚的効果が確認される編集画面を備えた情報処理装置および情報処理プログラムが提供される。
【００５０】
ここで、本実施の形態における表示部１４において、質感を擬似的に発現させる構成について説明する。金色、銀色等の光沢感、メタリック色のメタリック感等は、一般に当該色に含まれる明度情報の変化を人間が視覚的に感じることによって知覚される。つまり、拡散反射光の色情報に、外光や照明などの光が映り込み反射光が経時的に変化することによって、光沢感やメタリック感が視覚情報として知覚される。従って、表示部画面２０上の当該色の領域内において高い明度情報の画像を経時的に変化させれば光沢感、あるいはメタリック感がユーザに提示される。一方、色の明度を高くするほど当該色は白色に近づく。そこで、本実施の形態では、明度情報が高い色情報の一例として白色画像を選択し、この白色画像を経時的に変化させている。本実施の形態では、以上の原理により表示部画面２０においてユーザに特色の質感を提示している。
【００５１】
図３を参照して、本実施の形態における特色の質感の提示についてより詳細に説明する。図３（ａ）は、特色としての金色についてその光沢感を提示する場合を示し、図３（ｂ）は、特色としての銀色についてその光沢感を提示する場合を示している。
【００５２】
図３（ａ）に示すように、金色の質感を提示する場合は、例えば第１プレビュー部３８ａに特色表示領域２２で選択、設定された金色を表示させ、第１効果ボタン４０ａをカーソルＫで押下する。この操作により、金色の質感、つまり光沢感が第１プレビュー部３８ａに提示される。すなわち、高明度情報の画像の一例である星形の白色画像２８ａが第１プレビュー部３８ａ内に表示される。そして、本例では、図３（ａ）＜１＞から＜５＞に示すように、この白色画像２８ａの大きさを変化させて白色画像を経時的に変化させている。このことにより、第１プレビュー部３８ａにおいて金色の光沢感が提示される。なお、本実施の形態では、白色画像２８ａの一例として星形を例示したが、これに限られず、他の形状、例えば円、楕円、多角形等であってもよい。
【００５３】
本実施の形態では、金色の場合、第１プレビュー部３８ａにおける白色画像２８ａの周囲の色（地の色）を、一例として黄土色としている。つまり、本実施の形態では、金色の光沢感を提示する場合、予め定められた黄土色の画像領域内において白色画像を経時的に変化させている。従って、金色グラデーションバー３２ａは、この黄土色のグラデーションを変化させるようにしてもよい。また、白色画像２８ａの経時的変化は、例えば、画像ファイル形式（ＧＩＦ、ＪＰＥＧ、ＰＮＧ等）のもつアニメーション機能を使って行ってもよい。
【００５４】
一方、図３（ｂ）に示すように、銀色の質感を提示する場合は、例えば第２プレビュー部３８ｂに特色表示領域２２で選択、設定された銀色を表示させ、第２効果ボタン４０ｂをカーソルＫで押下する。この操作により、銀色の質感、つまり光沢感が第２プレビュー部３８ｂに提示される。すなわち、高明度情報の画像の一例である線状形状の白色画像２８ｂが表示される。そして、本例では、図３（ｂ）＜１＞から＜５＞に示すように、この白色画像２８ｂを予め定められた方向（図３（ｂ）の例では、紙面に向かって左上から右下の方向）に移動させて白色画像を経時的に変化させている。このことにより、第２プレビュー部３８ｂにおいて銀色の光沢感が提示される。なお、本実施の形態では、白色画像２８ｂの一例として線状形状を例示したが、これに限られず、他の形状、例えばジグザグの直線、波形の曲線等であってもよい。
【００５５】
本実施の形態では、銀色の場合、第１プレビュー部３８ｂにおける白色画像２８ｂの周囲の色（地の色）を、一例として灰色としている。つまり、本実施の形態では、銀色の光沢感を提示する場合、予め定められた灰色の画像領域内において白色画像を経時的に変化させている。従って、銀色グラデーションバー３２ｂは、この灰色のグラデーションを変化させるようにしてもよい。また、白色画像２８ｂの経時的変化は、例えば、画像ファイル形式（ＧＩＦ、ＪＰＥＧ、ＰＮＧ等）のもつアニメーション機能を使って行ってもよい。さらに、本実施の形態では、金色の質感に対して星形の白色画像を用い、銀色の質感に対して線状形状の白色画像を用いる形態を例示して説明したが、むろんこれは一例であって各々の色に対する白色画像がこれらに限定されるわけではない。
【００５６】
次に、図４および図５を参照して、対象画像４２の編集について説明する。図４は対象画像４２への特色の指定を、図５は対象画像４２からの特色の読み出しを、各々示している。図４および図５では図２と異なる表示部画面２０となっている。すなわち、図４および図５に示す表示部画面２０では、図２におけるＲＧＢ表示領域２４の代わりに編集画面表示領域２７が表示されている。図４および図５に示す特色表示領域２２およびプレビュー表示領域２６の機能は、図２と同様である。
【００５７】
対象画像４２へ特色の指定においては、図４（ａ）に示すように、まず対象画像４２を編集画面表示領域２７に表示させる。本例における対象画像４２は部分画像Ｇ１、Ｇ２、およびＧ３から構成されており、これらの部分画像のうち本例で特色を指定するのは部分画像Ｇ１およびＧ２である。
【００５８】
一方、プレビュー表示領域２６には、必要となる特色を表示させる。この場合の特色は、そのつど図２で説明した手順で作成してもよいし、記憶部１８に予め記憶されていた特色を読み出してプレビュー表示領域２６に表示させてもよい。本例では、部分画像Ｇ１に第１プレビュー部３８ａに表示された金色を指定する場合（図４（ａ））、および部分画像Ｇ２に第２プレビュー部３８ｂに表示された銀色を指定する場合（図４（ｂ））を例示している。なお、本実施の形態では、プレビュー表示領域２６に金色、銀色の２色の特色を表示させる場合を例示して説明するが、これに限られず、対象画像４２で必要となる数の特色を表示させてもよい。ここで、編集画面表示領域２７は本発明に係る「対象表示部」に相当し、編集画面表示領域２７およびプレビュー表示領域２６は本発明に係る「対応表示部」に相当する。
【００５９】
部分画像Ｇ１に金色を指定する場合は、カーソルＫにより金色選択部３０ａを選択し（図４（ａ）に＜１＞で示す操作）、金色グラデーションバー３２ａで金色のグラデーションを設定し（図４（ａ）に＜２＞で示す操作）、第１プレビュー部３８ａに金色を表示させる。次に、第１プレビュー部３８ａをカーソルＫによって指定し、部分画像Ｇ１にドラッグアンドドロップする（図４（ａ）に＜３＞で示す操作）。これにより対象画像４２の部分領域である部分画像Ｇ１に金色が指定される。その際、第１効果ボタン４０ａを押下して、部分画像Ｇ１における金色の質感を確認するようにしてもよい（図４（ａ）に＜４＞で示す操作）。
【００６０】
一方、部分画像Ｇ２に銀色を指定する場合は、カーソルＫにより銀色選択部３０ｂを選択し（図４（ｂ）に＜１＞で示す操作）、銀色グラデーションバー３２ｂで銀色のグラデーションを設定し（図４（ｂ）に＜２＞で示す操作）、第２プレビュー部３８ｂに銀色を表示させる。次に、第２プレビュー部３８ｂをカーソルＫによって指定し、部分画像Ｇ２にドラッグアンドドロップする（図４（ｂ）に＜３＞で示す操作）。これにより対象画像４２の部分領域である部分画像Ｇ２に銀色が指定される。その際、第２効果ボタン４０ｂを押下して、部分画像Ｇ２における銀色の質感を確認するようにしてもよい（図４（ｂ）に＜４＞で示す操作）。
【００６１】
以上の操作によって対象画像４２の部分画像Ｇ１、Ｇ２に特色が指定される。つまり、例えば、部分画像Ｇ１の座標データと金色とが関連付けられ、部分画像Ｇ２の座標データと銀色とが関連付けられる。各々金色、銀色と関連付けられた部分画像Ｇ１、Ｇ２は、例えば記憶部１８等の記憶手段に記憶させてもよい。むろん、以上の操作をしていない部分画像Ｇ３の画像領域は元の画像データのままである。また、用紙選択（背景部）にて、メタリック色の紙（銀紙、金紙）にプロセスカラーを利用する場合であってもよい。
【００６２】
次に、図５を参照して、図４で説明した操作によって特色が指定された対象画像４２からの特色の読み出しについて説明する。
【００６３】
まず、図５（ａ）に示すように、記憶部１８等の記憶手段から対象画像４２を読出し、編集画面表示領域２７に表示させる。
【００６４】
次に、部分画像Ｇ１の特色を表示させたい場合は、図５（ａ）に示すように、カーソルＫを部分画像Ｇ１に合わせ、ダブルクリックする。このことによって、編集画面表示領域２７において、部分画像Ｇ１に関連付けられた金色の質感、つまり光沢感等が提示される。この際、特色表示領域２２およびプレビュー表示領域２６を操作部１６によって操作し、特色の特性、あるいは特色そのものを変更してもよい。変更した部分画像Ｇ１はさらに記憶部１８等の記憶手段に記憶させてもよい。
【００６５】
一方、部分画像Ｇ２の特色を表示させたい場合は、図５（ｂ）に示すように、カーソルＫを部分画像Ｇ２に合わせる、またはダブルクリックする。このことによって、編集画面表示領域２７において、部分画像Ｇ２に関連付けられた銀色の質感、つまり光沢感等が提示される。この際、特色表示領域２２およびプレビュー表示領域２６を操作部１６によって操作し、特色の特性、あるいは特色そのものを変更してもよい。変更した部分画像Ｇ２はさらに記憶部１８等の記憶手段に記憶させてもよい。
【００６６】
なお、上記実施の形態に係る特色としての透明色に関しては、透明色選択部３０ｃで透明色を選択し、透過率設定バー３３で透過率を設定する構成を例示して説明したが、これに限られない。例えば、透明色選択部３０ｃで選択される透明色の下層に配置される色を、例えばＲＧＢ表示領域２４によって指定し、下地の色、例えば赤色の光沢感等の質感をプレビュー表示領域２６、編集画面表示領域２７において提示する構成としてもよい。
【００６７】
さらに、透明色を用い、透明感の提示の一形態である透かし情報を表現してもよい。すなわち、例えば、プレビュー表示領域２６の特色、あるいは編集画面表示領域２７に表示された対象画像４２（部分画像Ｇ１，Ｇ２、Ｇ３）の下地にある水玉や格子模様の見える程度を経時的に変化させ、下地の上に透かし情報として透明色の配色がされていることを表現してもよい。
【００６８】
また、上記実施の形態では、プレビュー表示領域２６において選択、設定された特色の質感を提示する形態を例示して説明したが、これに限られず、特色表示領域２２の特色選択部３０で質感を提示してもよい。つまり、プレビュー表示領域２６を省略してもよい。
さらに、例えばカラーパレット３４に配置された各色にアニメーション機能を設け、カラーパレット３４において質感を提示する形態としてもよい。
【００６９】
また、上記実施の形態では、地の色の画像の内部において白色画像を経時的に変化させて光沢感等の質感を提示する形態を例示して説明したが、これに限られず、蛍光表現のための彩度のバリエーションや経時的に変化させる白色の濃度にバリエーションを設け、質感の違いを表現してもよい。さらに、上記実施の形態では、予め定められた形状の白色画像の大きさの変化の方向、あるいは予め定められた形状の白色画像の移動方向が一方向である場合を例示して説明したが、これに限られず、白色画像の大きさの変化、あるいは移動方向をランダムなものにしてもよい。
【００７０】
また、画像形成装置の機種等によって特色の種類等が異なる場合がある。この場合は、特に特色表示領域２２を異ならせた表示部画面２０を画像形成装置の機種ごとに作成し、記憶部１８等の記憶手段に記憶させておいてもよい。
【００７１】
また、上記の各実施形態に係る情報処理装置によって行われる各処理は、コンピュータに実行させるためのプログラムとして記憶手段に記録して流通させるようにしてもよい。
【符号の説明】
【００７２】
１０    情報処理装置
１２    制御部
１４    表示部
１６    操作部
１８    記憶部
２０    表示部画面
２２    特色表示領域
２４    ＲＧＢ表示領域
２６    プレビュー表示領域
２７    編集画面表示領域
２８、２８ａ、２８ｂ  白色画像
３０    特色選択部
３０ａ  金色選択部
３０ｂ  銀色選択部
３０ｃ  透明色選択部
３０ｄ  白色選択部
３２    グラデーションバー
３２ａ  金色グラデーションバー
３２ｂ  銀色グラデーションバー
３２ｄ  白色グラデーションバー
３３    透過率設定バー
３４    カラーパレット
３６    カラーチャート
３８    プレビュー部
３８ａ  第１プレビュー部
３８ｂ  第２プレビュー部
４０ａ  第１効果ボタン
４０ｂ  第２効果ボタン
４２    対象画像
Ｇ１、Ｇ２、Ｇ３  部分画像
Ｋ      カーソル
【図１】
2019082829.tif 000003
【図２】
2019082829.tif 000004
【図３】
2019082829.tif 000005
【図４】
2019082829.tif 000006
【図５】
2019082829.tif 000007